【手続補正書】
【提出日】平成30年11月19日(2018.11.19)
【手続補正１】
【補正対象書類名】明細書
【補正対象項目名】０００６
【補正方法】変更
【補正の内容】
【０００６】
前記目的を達成するため、本発明の撮像装置の一態様は、
撮像装置において、
画像を撮像する撮像手段と、
当該撮像装置とペアリングしていない操作装置から、無線により送信される前記撮像手段での撮像を要求する撮像要求信号を受信する受信手段と、
受信の条件が満たされる場合には連続受信を行うように前記受信手段を制御する受信制御手段と、
前記受信制御手段によって前記受信手段が連続受信を行うように制御された状態で、前記撮像要求信号を受信したときに、前記撮像手段に前記画像を撮像させる撮像制御手段と、
を備える、
ことを特徴とする。
また、前記目的を達成するため、本発明の撮像システムの一態様は、
撮像装置と、前記撮像装置を操作する操作装置と、を備える撮像システムであって、
前記撮像装置は、
画像を撮像する撮像手段と、
前記撮像装置とペアリングしていない操作装置から、無線により送信される前記撮像手段での撮像を要求する撮像要求信号を受信する受信手段と、
受信の条件が満たされる場合には連続受信を行うように前記受信手段を制御する受信制御手段と、
前記受信制御手段によって前記受信手段が連続受信を行うように制御された状態で、前記撮像要求信号を受信したときに、前記撮像手段に前記画像を撮像させる撮像制御手段と、
を有し、
前記操作装置は、
前記撮像装置とペアリングすることなく、無線により前記撮像装置に前記撮像要求信号を送信する送信手段、
を有する、
ことを特徴とする。
また、前記目的を達成するため、本発明の撮像方法の一態様は、
撮像装置と、前記撮像装置を操作する操作装置と、を備える撮像システムで実行される撮像方法であって、
前記撮像装置は、画像を撮像する撮像手段と、前記撮像装置とペアリングしていない操作装置から、無線により送信される前記撮像手段での撮像を要求する撮像要求信号を受信する受信手段と、有し、
前記操作装置は、前記撮像装置とペアリングすることなく、無線により前記撮像装置に前記撮像要求信号を送信する送信手段、を有し、
受信の条件が満たされる場合には連続受信を行うように前記受信手段を制御する受信制御ステップと、
前記受信制御ステップによって前記受信手段が連続受信を行うように制御された状態で、前記撮像要求信号を受信したときに、前記撮像手段に前記画像を撮像させる撮像制御ステップと、
を含む、
ことを特徴とする。
また、前記目的を達成するため、本発明のプログラムの一態様は、
撮像装置と、前記撮像装置を操作する操作装置と、を備え、
前記撮像装置は、画像を撮像する撮像手段と、前記撮像装置とペアリングしていない操作装置から、無線により送信される前記撮像手段での撮像を要求する撮像要求信号を受信する受信手段と、有し、
前記操作装置は、前記撮像装置とペアリングすることなく、無線により前記撮像装置に前記撮像要求信号を送信する送信手段、を有する、
撮像システムを制御するコンピュータに、
受信の条件が満たされる場合には連続受信を行うように前記受信手段を制御する受信制御処理、
前記受信制御処理によって前記受信手段が連続受信を行うように制御された状態で、前記撮像要求信号を受信したときに、前記撮像手段に前記画像を撮像させる撮像制御処理、
を実行させる、
ことを特徴とする。
【手続補正２】
【補正対象書類名】特許請求の範囲
【補正対象項目名】全文
【補正方法】変更
【補正の内容】
【特許請求の範囲】
【請求項１】
撮像装置において、
画像を撮像する撮像手段と、
当該撮像装置とペアリングしていない操作装置から、無線により送信される前記撮像手段での撮像を要求する撮像要求信号を受信する受信手段と、
受信の条件が満たされる場合には連続受信を行うように前記受信手段を制御する受信制御手段と、
前記受信制御手段によって前記受信手段が連続受信を行うように制御された状態で、前記撮像要求信号を受信したときに、前記撮像手段に前記画像を撮像させる撮像制御手段と、
を備える、
ことを特徴とする撮像装置。
【請求項２】
前記受信の条件を満たしたか否かを判定する第１判定手段を有し、
前記第１判定手段は、前記受信の条件として、前記撮像手段によって撮像した前記画像の画角内において被写体の顔が検出されること、前記撮像装置が特定の状態になっていること、又は、前記被写体が特定の姿勢で静止している状態であることを判定する、
ことを特徴とする請求項１に記載の撮像装置。
【請求項３】
前記受信制御手段は、前記撮像手段による撮像後に所定時間経過したか、又は、被写体が所定の第１状態になったことを条件にして、前記連続受信を止めるように前記受信手段を制御する、
ことを特徴とする請求項１又は２に記載の撮像装置。
【請求項４】
前記受信制御手段は、前記受信の条件が満たされていない場合には、受信を行わない、又は、間欠的な受信を行うように前記受信手段を制御する、
ことを特徴とする請求項１乃至３の何れか１項に記載の撮像装置。
【請求項５】
撮像装置と、前記撮像装置を操作する操作装置と、を備える撮像システムであって、
前記撮像装置は、
画像を撮像する撮像手段と、
前記撮像装置とペアリングしていない操作装置から、無線により送信される前記撮像手段での撮像を要求する撮像要求信号を受信する受信手段と、
受信の条件が満たされる場合には連続受信を行うように前記受信手段を制御する受信制御手段と、
前記受信制御手段によって前記受信手段が連続受信を行うように制御された状態で、前記撮像要求信号を受信したときに、前記撮像手段に前記画像を撮像させる撮像制御手段と、
を有し、
前記操作装置は、
前記撮像装置とペアリングすることなく、無線により前記撮像装置に前記撮像要求信号を送信する送信手段、
を有する、
ことを特徴とする撮像システム。
【請求項６】
前記操作装置は、
撮影指示の条件を満たした場合に、前記撮像装置に前記撮像要求信号を送信するように前記送信手段を制御する送信制御手段を有する、
ことを特徴とする請求項５に記載の撮像システム。
【請求項７】
前記操作装置は、
前記撮影指示の条件を満たしたか否かを判定する第２判定手段を有し、
前記第２判定手段は、前記撮影指示の条件として、被写体が所定の第２状態になったことを判定する、
ことを特徴とする請求項６に記載の撮像システム。
【請求項８】
前記操作装置は、
前記被写体の状態を検出する検出手段を有し、
前記第２判定手段は、前記検出手段の検出結果に基づいて、前記被写体が前記所定の第１状態になったことを判定する、
ことを特徴とする請求項７に記載の撮像システム。
【請求項９】
撮像装置と、前記撮像装置を操作する操作装置と、を備える撮像システムで実行される撮像方法であって、
前記撮像装置は、画像を撮像する撮像手段と、前記撮像装置とペアリングしていない操作装置から、無線により送信される前記撮像手段での撮像を要求する撮像要求信号を受信する受信手段と、有し、
前記操作装置は、前記撮像装置とペアリングすることなく、無線により前記撮像装置に前記撮像要求信号を送信する送信手段、を有し、
受信の条件が満たされる場合には連続受信を行うように前記受信手段を制御する受信制御ステップと、
前記受信制御ステップによって前記受信手段が連続受信を行うように制御された状態で、前記撮像要求信号を受信したときに、前記撮像手段に前記画像を撮像させる撮像制御ステップと、
を含む、
ことを特徴とする撮像方法。
【請求項１０】
撮像装置と、前記撮像装置を操作する操作装置と、を備え、
前記撮像装置は、画像を撮像する撮像手段と、前記撮像装置とペアリングしていない操作装置から、無線により送信される前記撮像手段での撮像を要求する撮像要求信号を受信する受信手段と、有し、
前記操作装置は、前記撮像装置とペアリングすることなく、無線により前記撮像装置に前記撮像要求信号を送信する送信手段、を有する、
撮像システムを制御するコンピュータに、
受信の条件が満たされる場合には連続受信を行うように前記受信手段を制御する受信制御処理、
前記受信制御処理によって前記受信手段が連続受信を行うように制御された状態で、前記撮像要求信号を受信したときに、前記撮像手段に前記画像を撮像させる撮像制御処理、
を実行させる、
ことを特徴とするプログラム。